(57)【特許請求の範囲】
【請求項１】
光ディスクと一体的に回転する透明なディスク回転安定化板と、このディスク回転安定化板を回転させるスピンドル駆動系と、レーザ光を前記ディスク回転安定化板を透過させて前記光ディスクに集光照射しその反射光を検出する光学ヘッドとを備えた光学的情報記録再生装置において、
前記光学ヘッドから出射される前記レーザ光を用いて、前記ディスク回転安定化板の前記光ディスク側の表面に対してフォーカスサーボをかけるフォーカスサーボ手段と、
前記ディスク回転安定化板の前記光ディスク側の表面にフォーカスサーボが引き込まれた際に前記光学ヘッドに検出された反射光量が予め設定された基準範囲内にあるか否かを判定する検出光レベル判定手段と、
を備えたことを特徴とする光学的情報記録再生装置。
【請求項２】
前記請求項１に記載の光学的情報記録再生装置において、
前記反射光量が基準範囲内にない場合に前記ディスク回転安定化板が劣化していると判定する安定化板劣化判定手段を更に備えたことを特徴とする光学的情報記録再生装置。
【請求項３】
前記請求項２に記載の光学的情報記録再生装置において、
前記検出光レベル判定手段は、前記フォーカスサーボが引き込まれた際に前記光学ヘッドに検出された反射光量を前記基準範囲の最大値及び最小値と比較する機能を備え、
前記安定化板劣化判定手段は、前記反射光量が前記最大値を上回った場合と前記最小値を下回った場合に、前記ディスク回転安定化板が劣化していると判定する機能を備えたことを特徴とする光学的情報記録再生装置。
【請求項４】
前記請求項３に記載の光学的情報記録再生装置において、
前記検出光レベル判定手段は、前記フォーカスサーボが引き込まれた際に前記ディスク回転安定化板上の予め設定された複数の半径位置に前記レーザ光を順次照射させるように前記光学ヘッドを駆動制御し当該複数の半径位置において検出される反射光量が前記基準範囲内であるか否かを判定する機能を備え、
前記安定化板劣化判定手段は、前記予め設定された全ての半径位置において前記ディスク回転安定化板が劣化していないと判定した場合に当該ディスク回転安定化板が正常であると判定する機能を備えたことを特徴とする光学的情報記録再生装置。
【請求項５】
前記請求項４に記載の光学的情報記録再生装置において、
前記フォーカスサーボ手段は、予め設定された期間間隔で定期的に前記ディスク回転安定化板の表面に対するフォーカスサーボ引き込みを実行する機能を備えたことを特徴とする光学的情報記録再生装置。
【請求項６】
前記請求項５に記載の光学的情報記録再生装置において、
前記安定化板劣化判定手段により前記ディスク回転安定化板が劣化していると判定された場合に上位システムへ警告信号を発信する警告発信手段を備えたことを特徴とする光学的情報記録再生装置。
【請求項７】
前記請求項６に記載の光学的情報記録再生装置において、
前記警告発信手段により警告信号が発信されてから警告が解除されるまでの間、前記光ディスクを装填する機構及び前記光ディスクに対して情報を記録再生する機構を起動しないように制御する起動制限制御手段を備えたことを特徴とする光学的情報記録再生装置。
【請求項８】
光ディスクとこの光ディスクに対してレーザ光を集光照射しその反射光を検出する光学ヘッドとの間の位置に設置された透明なディスク回転安定化板を回転駆動させる安定化板駆動ステップと、
前記光学ヘッドから出射される前記レーザ光を用いて、前記ディスク回転安定化板の前記光ディスク側の表面に対してフォーカスサーボをかけるフォーカスサーボステップと、
前記ディスク回転安定化板の前記光ディスク側の表面に対してフォーカスサーボが引き込まれた際に前記光学ヘッドに検出された反射光量が予め設定された基準範囲内にあるか否かを判定する検出光レベル判定ステップと、
を設けたことを特徴とするディスク回転安定化板劣化判定方法。
【請求項９】
前記請求項８に記載のディスク回転安定化板劣化判定方法において、
前記反射光量が前記基準範囲内にない場合に前記ディスク回転安定化板が劣化していると判定する安定化板劣化判定ステップを更に設けたことを特徴とするディスク回転安定化板劣化判定方法。
【請求項１０】
前記請求項９に記載のディスク回転安定化板劣化判定方法において、
前記検出光レベル判定ステップでは、前記フォーカスサーボが引き込まれた際に前記光学ヘッドに検出された反射光量を前記基準範囲の最大値及び最小値と比較し、
前記安定化板劣化判定ステップでは、前記反射光量が前記最大値を上回った場合と前記最小値を下回った場合に、前記ディスク回転安定化板が劣化していると判定することを特徴とするディスク回転安定化板劣化判定方法。
【請求項１１】
前記請求項１０に記載のディスク回転安定化板劣化判定方法において、
前記検出光レベル判定ステップでは、前記フォーカスサーボが引き込まれた際に前記ディスク回転安定化板上の予め設定された複数の半径位置に前記レーザ光を順次照射させて当該複数の半径位置において前記光学ヘッドに検出される反射光量が前記基準範囲内であるか否かを判定し、
前記安定化板劣化判定ステップでは、前記複数の半径位置の全てにおいて前記ディスク回転安定化板が劣化していないと判定した場合に当該ディスク回転安定化板が正常であると判定することを特徴とするディスク回転安定化板劣化判定方法。
【請求項１２】
前記請求項１１に記載のディスク回転安定化板劣化判定方法において、
前記フォーカスサーボステップでは、予め設定された期間間隔で定期的に前記ディスク回転安定化板の表面に対するフォーカスサーボ引き込みを実行することを特徴とするディスク回転安定化板劣化判定方法。
【請求項１３】
前記請求項１２に記載のディスク回転安定化板劣化判定方法において
前記安定化板劣化判定ステップで前記ディスク回転安定化板が劣化していると判定された場合に、上位システムへ警告信号を発信する警告発信ステップを設けたことを特徴とするディスク回転安定化板劣化判定方法。
【請求項１４】
前記請求項１３に記載のディスク回転安定化板劣化判定方法において、
前記警告信号が発信されてから警告が解除されるまで前記光ディスクを装填する機構及び前記光ディスクに対して情報を記録再生する機構を起動しないように制御する起動制限制御ステップを設けたことを特徴とするディスク回転安定化板劣化判定方法。
【請求項１５】
光ディスクに対してレーザ光を集光照射しその反射光を検出する光学ヘッドと前記光ディスクとの間の位置に設置された透明なディスク回転安定化板を回転駆動させる安定化板駆動制御機能と、
前記光学ヘッドから出射される前記レーザ光を用いて、前記ディスク回転安定化板の前記光ディスク側の表面に対してフォーカスサーボを駆動させるフォーカスサーボ機能と、
前記ディスク回転安定化板の前記光ディスク側の表面に対してフォーカスサーボが引き込まれた際に前記光学ヘッドに検出された反射光量が予め設定された基準範囲内であるか否かを判定する検出光レベル判定機能と、
をコンピュータに実行させることを特徴とするディスク回転安定化板劣化判定用プログラム。
【請求項１６】
前記請求項１５に記載のディスク回転安定化板劣化判定用プログラムにおいて、
前記反射光量が前記基準範囲内にない場合に前記ディスク回転安定化板が劣化していると判定する安定化板劣化判定機能を更に前記コンピュータに実行させることを特徴とするディスク回転安定化板劣化判定用プログラム。
【請求項１７】
前記請求項１６に記載のディスク回転安定化板劣化判定用プログラムにおいて、
前記検出光レベル判定機能が、前記フォーカスサーボが引き込まれた際に前記光学ヘッドに検出された反射光量を前記基準範囲の最大値及び最小値と比較する機能であり、
前記安定化板劣化判定機能が、前記反射光量が前記最大値を上回った場合と前記最小値を下回った場合に、前記ディスク回転安定化板が劣化していると判定する機能であることを特徴とするディスク回転安定化板劣化判定用プログラム。
【請求項１８】
前記請求項１７に記載のディスク回転安定化板劣化判定用プログラムにおいて、
前記検出光レベル判定機能が、前記フォーカスサーボが引き込まれた際に前記ディスク回転安定化板上の予め設定された複数の半径位置に前記レーザ光を順次照射させるように前記光学ヘッドを駆動制御し当該複数の半径位置において前記光学ヘッドに検出される反射光量が前記基準範囲内であるか否かを判定する機能であり、
前記安定化板劣化判定機能が、前記全ての半径位置において前記ディスク回転安定化板が劣化していないと判定した場合に当該ディスク回転安定化板が正常であると判定する機能であることを特徴とするディスク回転安定化板劣化判定用プログラム。
【請求項１９】
前記請求項１８に記載のディスク回転安定化板劣化判定用プログラムにおいて、
前記フォーカスサーボ機能が、予め設定された期間間隔で定期的に前記ディスク回転安定化板の表面に対するフォーカスサーボを駆動させる機能であることを特徴とするディスク回転安定化板劣化判定用プログラム。
【請求項２０】
前記請求項１９に記載のディスク回転安定化板劣化判定用プログラムにおいて、
前記安定化板劣化判定機能で前記ディスク回転安定化板が劣化していると判定された場合に上位システムへ警告信号を発信する警告発信機能を前記コンピュータに実行させたことを特徴とするディスク回転安定化板劣化判定用プログラム。
【請求項２１】
前記請求項２０に記載のディスク回転安定化板劣化判定用プログラムにおいて、
前記警告信号が発信されてから警告が解除されるまでの間、前記光ディスクを装填する機構及び前記光ディスクに対して情報を記録再生する機構を起動しないように制御する起動制限制御機能を前記コンピュータに実行させたことを特徴とするディスク回転安定化板劣化判定用プログラム。
【発明の詳細な説明】
【技術分野】
【０００１】
本発明は、透明なディスク回転安定化板を備えた光学的情報記録再生装置及びそのディスク回転安定化板劣化判定方法，ディスク回転安定化板劣化判定用プログラムに関する。
【背景技術】
【０００２】
一般に、相変化光ディスクなどの書き換え可能な光ディスクは、記録膜にレーザ光を照射し、記録膜の反射率、光学的位相等の光学特性を変化させることにより、情報の記録・再生が行われる。このような光ディスクとしてはＤＶＤ−ＲＷ，ＤＶＤ−ＲＡＭが一般的であり、さらに大容量化が可能な光ディスクとして、ＨＤ  ＤＶＤ−ＲＡＭやＨＤ  ＤＶＤ−ＲＷなどがある。
【０００３】
また、情報化社会の進展に伴い、莫大な量の情報の記録・再生が必須となり、このような要求を満足するための一つの手段として、複数枚の書き換え可能な光ディスクを格納したカートリッジを複数個備えた集合装置が提案されている。しかし、この集合装置においては、光ディスク一枚当りの厚みが１．２ｍｍと厚いため、カートリッジを格納している装置自体の大きさがかなり大きくなっていた。
【０００４】
これを鑑みた技術として、光ディスク一枚当りの厚みを０．３ｍｍ以下と薄くして、光ディスクを格納するカートリッジをコンパクトにした記録再生装置が開示されている（特許文献１を参照）。
【０００５】
特許文献１に記載の記録再生装置は、薄型光ディスクと対向して配置された透明なディスク回転安定化板と、薄型光ディスクに記録再生を行うための記録再生ヘッドを含む光学系とを備えており、この光学系は、透明なディスク回転安定化板の薄型光ディスク裁置面とは反対側に記録再生用の光学ヘッドが設置され、記録再生用のレーザ光を透明なディスク回転安定化板を透過して薄型光ディスクの記録面に集光照射する構成となっている。
【０００６】
薄型光ディスクと対向して透明なディスク回転安定化板を配置して、情報の記録及び再生の際に同時に回転させることで、薄型光ディスクの回転軸方向の変動をベルヌーイの法則に基づく空気流の圧力差によって安定化させている。
【０００７】
【特許文献１】特開２００６−１６６４４８８号公報
【発明の開示】
【発明が解決しようとする課題】
【０００８】
しかしながら、特許文献１に開示された技術は、透明なディスク回転安定化板にガラス基板や表面にハードコートを施したプラスチック基板などが用いられているので、以下に示すような問題が生じていた。透明なディスク回転安定化板としてガラス基板を用いた場合には、ガラス基板を形成する組成物の一般的な特徴としてアルカリ金属の酸化物が含まれており、このアルカリ成分が大気中のＨ２ＯやＣＯ２と反応して、ガラス基板表面にＣａＣＯ３やＮａＨＣＯ３等の析出物を形成する。このような析出物がガラス表面に形成されるとガラス基板の透過率が低下し、薄型光ディスクへの正常な情報記録や既に記録してある情報を正確に再生することが困難になるという問題点があった。
【０００９】
また、透明なディスク回転安定化板として、表面にハードコートを施したプラスチック基板を用いた場合には、経年変化によりプラスチック基板を形成する素材自体が劣化し、プラスチック基板の透過率が低下するため、薄型光ディスクへの正常な情報記録や既に記録してある情報を正確に再生することが困難になるという問題点もあることが確認された。
【００１０】
このような記録再生装置においては、単体で使用する場合や、複数台の薄型光ディスク記録再生装置を積層し、同時に複数台の薄型光ディスク記録再生装置に対して、薄型光ディスクをロードもしくはアンロードしながら情報の記録及び再生が行われる場合もある。このような場合において、ディスク回転安定化板の劣化が起こると、情報の記録又は再生動作中に記録エラーもしくは再生エラーが起こり、強制的に情報の記録又は再生動作を中止しなければならない。
【００１１】
そこで、本発明は、上記従来技術の問題点を鑑みてなされたものであり、ディスク回転安定化板の経時変化や劣化を、薄型光ディスク媒体への記録再生動作に入る前に事前に検出し、良好なディスク回転安定化板と交換することで、薄型光ディスク媒体に対し安定して記録再生動作を行う光学的情報記録再生装置，ディスク回転安定化板の劣化判定方法およびプログラムを提供することを、その目的とする。
【課題を解決するための手段】
【００１２】
上記目的を達成するため、本発明の光学的情報記録再生装置は、光ディスクと一体的に回転する透明なディスク回転安定化板と、このディスク回転安定化板を回転させるスピンドル駆動系と、レーザ光をディスク回転安定化板を透過させて光ディスクに集光照射しその反射光を検出する光学ヘッドとを備え、光学ヘッドから出射されるレーザ光を用いてディスク回転安定化板のレーザ光が通過する２つの表面のいずれか一方の面に対してフォーカスサーボをかけるフォーカスサーボ手段と、ディスク回転安定化板の表面にフォーカスサーボが引き込まれた際に光学ヘッドに検出された反射光量が予め設定された基準範囲内にあるか否かを判定する検出光レベル判定手段と、反射光量が基準範囲内にない場合にディスク回転安定化板が劣化していると判定する安定化板劣化判定手段を備えたことを特徴とする。
【００１３】
また、本発明のディスク回転安定化板劣化判定方法は、光ディスクとこの光ディスクに対してレーザ光を集光照射しその反射光を検出する光学ヘッドとの間の位置に設置された透明なディスク回転安定化板を回転駆動させる安定化板駆動ステップと、光学ヘッドから出射されるレーザ光を用いてディスク回転安定化板のレーザ光が通過する２つの表面のいずれか一方の面に対してフォーカスサーボをかけるフォーカスサーボステップと、ディスク回転安定化板の表面に対してフォーカスサーボが引き込まれた際に光学ヘッドに検出された反射光量が予め設定された基準範囲内にあるか否かを判定する検出光レベル判定ステップと、反射光量が基準範囲内にない場合にディスク回転安定化板が劣化していると判定する安定化板劣化判定ステップとを設けたことを特徴とする。
【００１４】
次に、本発明のディスク回転安定化板劣化判定用プログラムは、光ディスクに対してレーザ光を集光照射しその反射光を検出する光学ヘッドと光ディスクとの間の位置に設置された透明なディスク回転安定化板を回転駆動させる安定化板駆動制御機能と、光学ヘッドから出射されるレーザ光を用いてディスク回転安定化板のレーザ光が通過する２つの表面のいずれか一方の面に対してフォーカスサーボを駆動させるフォーカスサーボ機能と、ディスク回転安定化板の表面に対してフォーカスサーボが引き込まれた際に光学ヘッドに検出された反射光量が予め設定された基準範囲内であるか否かを判定する検出光レベル判定機能と、反射光量が基準範囲内にない場合にディスク回転安定化板が劣化していると判定する安定化板劣化判定機能とをコンピュータに実行させることを特徴とする。
【発明の効果】
【００１５】
本発明は以上のように構成され機能するため、これにより、透明なディスク回転安定化板の表面に対してフォーカスサーボを引き込み、その際に検出される反射光量が予め設定された基準範囲内にない場合は、このディスク回転安定化板が劣化したものと判定するので、ユーザに対してディスク回転安定化板の劣化を事前に通知し交換させることが可能となり、光ディスク媒体に対する記録再生処理を安定して実行することが可能となる。
【発明を実施するための最良の形態】
【００１６】
以下、本発明における一実施形態を、図面を参照して説明する。
【００１７】
図１は、本実施形態に係る光学的情報記録再生装置（光ディスク装置１００）の概略構成を示す図である。図１に示すように、本実施形態の光ディスク装置１００は、装填される薄型の光ディスクと一体的に回転する透明なディスク回転安定化板１０１と、このディスク回転安定化板１０１を回転駆動させるスピンドル駆動系１０２と、レーザ光をディスク回転安定化板１０１を透過して光ディスクに集光照射しその反射光を検出する光学ヘッド１１３とを備えている。
【００１８】
図２は、本実施形態の光ディスク装置１００におけるディスク回転機構の概略構成を示す図である。図２に示すように、本実施形態では、ディスク回転安定化板１０１と薄型光ディスク媒体１との間の位置にスペーサ１３０を設置し、これにより、ディスク回転安定化板１０１と薄型光ディスク媒体１との間に空気層が形成される。ディスク回転安定化板１０１が、薄型光ディスク媒体１と一体的に高速回転することで、薄型光ディスク媒体１とディスク回転安定化板１０１間の空気が外周方向に移動して空気圧が低くなり、空気流の圧力差によって薄型光ディスク媒体１がディスク回転安定化板１０１に密着するような形となり、薄型光ディスク媒体１の撓みによる面振れが抑えられる。
【００１９】
また、光ディスク１と光学ヘッド１１３の間の位置にディスク回転安定化板１０１を設けているので、光学ヘッド１１３による空気流の乱れが光ディスク１に影響を及ぼすことが無く、光ディスク１は安定して回転する。
【００２０】
上述した光学ヘッド１１３は、対物レンズを組み込んでいる対物レンズアクチュエータ１０９と、入射した光を分離するビームスプリッタ１１０と、レーザ光を出射するレーザダイオード１１１と、反射光を検出する光検出器１１２とを備えている。
【００２１】
対物レンズアクチュエータ１０９は、対物レンズをフォーカス方向及びトラック方向に駆動させる。ビームスプリッタ１１０は、レーザダイオード１１１からのレーザ光を対物レンズに導くと共に反射光を光検出器１１２に向けて通過させる。光検出器１１２は、光ディスクに対して出射されたレーザ光の戻り光を受光し電気信号に変換して出力する。
【００２２】
レーザダイオード１１１は、光ディスクに対して情報を記録再生するために用いるレーザダイオードであって、波長４０５ｎｍの青紫色光と波長６５０ｎｍの赤色光との２波長のレーザ光を備えているものとする。ＨＤ  ＤＶＤに対しては青紫色光を照射しＤＶＤに対しては赤色光を照射するなど、２波長のレーザ光を備えることで複数種類の光ディスクに対してデータ再生を実行できる。
【００２３】
さらに、本実施形態の光ディスク装置１００は、対物レンズアクチュエータ１０９を駆動するサーボ駆動系１０３と、サーボ駆動系１０３を制御して対物レンズアクチュエータ１０９をコントロールするサーボコントローラ１０４と、装置全体を統括するシステムコントローラ１０５と、レーザダイオード１１１を駆動するＬＤ駆動部１０６と、光検出器１１２から出力される信号を演算増幅して再生信号（ＲＦ信号），和信号，サーボエラー信号を生成するＲＦ回路部１０７と、光学ヘッド１１３をディスク回転安定化板１０１の半径方向に移動させるスレッドモータ１０８とを備えている。
【００２４】
図３は、本実施形態におけるサーボコントローラ１０４の構成を示す機能ブロック図である。図３に示すように、サーボコントローラ１０４は、対物レンズを所定の速度でフォーカス方向に移動させてＲＦ回路部１０７からのフォーカスエラー信号中に発生するフォーカスＳ字信号を検出するフォーカスＳ字信号検出手段１１４と、このフォーカスＳ字信号を検出した焦点位置でフォーカスサーボを引き込むようにサーボ駆動系１０３へ制御信号を出力するサーボ制御手段１１９とを備えている。
【００２５】
サーボ駆動系１０３は、スレッドモータ１０８及び対物レンズアクチュエータ１０９を駆動する機能を備えており、サーボコントローラ１０４からの制御信号に従って対物レンズアクチュエータ１０９を光軸方向に動かして微調整する機能を備えている。
【００２６】
ＲＦ回路部１０７は、光検出器１１２から出力される信号に基づいて再生信号（ＲＦ信号）を出力する機能を備えている。また、ＲＦ回路部１０７は、光検出器１１２から出力される信号を演算増幅してフォーカスエラー信号を生成すると共に、光検出器１１２の受光量の総和を示す和信号を生成する。
【００２７】
システムコントローラ１０５は、上位システム２００と接続しており、ＬＤ駆動部１０６及びサーボコントローラ１０４の動作を制御する。本実施形態におけるシステムコントローラ１０５は、通常のデータ記録再生処理に伴うＬＤ駆動部１０６及びサーボコントローラ１０４の動作制御とは別に、ディスク回転安定化板１０１の劣化有無の判定処理に伴う制御を行う。
【００２８】
図４は、本実施形態におけるシステムコントローラ１０５の構成を示す機能ブロック図である。ここで、図４においては、光ディスクの種類判別などデータ記録再生に関する構成要素は省略している。
【００２９】
図４に示すように、本実施形態におけるシステムコントローラ１０５は、ディスク回転安定化板１０１の劣化有無判定を実行する指令をサーボコントローラ１０４へ出力し、ディスク回転安定化板１０１の表面にフォーカスサーボが引き込まれた際に光学ヘッド１１３の光検出器１１２で検出された反射光量に基づく和信号出力値が予め設定された基準範囲内であるか否かを判定する検出光レベル判定手段１１５と、和信号出力値が基準範囲内でない場合にディスク回転安定化板１０１が劣化していると判定する安定化板劣化判定手段１１６とを備えている。
【００３０】
システムコントローラ１０５がディスク回転安定化板１０１の劣化有無判定の指令を出力するタイミングの設定に関しては、光ディスク装置１００の電源を投入した時点を基準として、等間隔の時刻において指令を行うように設定する。実使用上は５０００時間程度の連続使用ではなんら問題がないことを確認しているが、光ディスク装置１００を連続して稼動させる場合は、情報の記録、再生信号品質の確立の観点からも２００時間毎にディスク回転安定化板１０１の劣化有無判定プロセスを実行することが望ましい。
【００３１】
本実施形態におけるシステムコントローラ１０５では、検出光レベル判定手段１１５が、ディスク回転安定化板１０１からの反射光量をディスク回転安定化板１０１の特性に基づいて予め設定された基準最大値及び基準最小値と比較し、安定化板劣化判定手段１１６が、反射光量が基準最大値を超えた場合と基準最小値を下回った場合に、ディスク回転安定化板１０１が劣化したものと判断する。
【００３２】
例えば、光ディスクが装填されていない状態でディスク回転安定化板１０１だけがスピンドル駆動系１０２上にセットされている場合に、サーボコントローラ１０４がシステムコントローラ１０５から指令を受けると、スピンドル駆動系１０２を制御してディスク回転安定化板１０１を回転させる。
【００３３】
そして、レーザダイオード駆動部１０６がレーザダイオード１１１を駆動することで、ディスク回転安定化板１０１へ光ビームを照射する。その際、サーボコントローラ１０４の制御によりサーボ駆動系１０３が対物レンズアクチュエータ１０９を駆動し、対物レンズをフォーカス方向に移動させる。ＲＦ回路部１０７が、ディスク回転安定化板１０１からの反射光を検出した光検出器１１２から出力される信号に基づいてフォーカスエラー信号を生成する。
【００３４】
図５は、ディスク回転安定化板１０１に対してレーザ光を照射し、対物レンズをフォーカス方向に移動させた場合のフォーカスエラー信号の変化の様子を示した図である。
【００３５】
図５では、図５（ａ）に示すように、対物レンズがディスク回転安定化板１０１から遠い位置（レーザ光の焦点位置がディスク回転安定化板１０１の基板面に到達していない位置）からディスク回転安定化板１０１に近づく方向に移動するように対物レンズアクチュエータ１０９を駆動した場合のフォーカスエラー信号の変化の様子を示している。
【００３６】
図５（ｂ）は、レーザ光の焦点をディスク回転安定化板１０１に合わせる場合を示しており、ディスク回転安定化板１０１の基板表面Ａにレーザ光の焦点が合焦すると、その位置でフォーカスＳ字信号Ｓ１が観測される。次いで、更に対物レンズをフォーカス方向に移動させると、ディスク回転安定化板１０１の基板表面Ｂにレーザの焦点が合焦して、その位置でフォーカスＳ字信号Ｓ２が観測される。
【００３７】
サーボコントローラ１０４のフォーカスＳ字信号検出手段１１４は、フォーカスエラー信号の電気的中立位置から±の電位にスレッショルド（＋のスレッショルドはフォーカスエラー信号の最大値よりも小さく、−のスレッショルドはフォーカスエラー信号の最小値よりも大きい）を設け、＋のスレッショルドを上回った後に下回り、−のスレッショルドを下回った後に上回り、更に、反射光量の総和をとった和信号が最大値と最小値の間のスレッショルドを越えたことでフォーカスＳ字信号を検出する。ディスク回転安定化板１０１の表面を検出した時点で一旦、サーボ制御手段１１９がサーボ駆動系１０３を制御してフォーカスサーボを引き込む。
【００３８】
ここでは、フォーカスＳ字信号Ｓ２が観測されるディスク回転安定化板１０１の基板表面Ｂにフォーカスサーボを引き込み、ディスク回転安定化板１０１の劣化判定処理を実行するが、これに限らず、ディスク回転安定化板１０１の基板表面Ａにフォーカスサーボを引き込んでもよい。
【００３９】
このようにサーボコントローラ１０４のフォーカスＳ字信号検出手段１１４が、フォーカスエラー信号中のフォーカスＳ字信号を検出してディスク回転安定化板１０１の表面位置を特定し、サーボ制御手段１１９が、フォーカスエラー信号に基づいてサーボ駆動系１０３へ制御信号を出力し、特定された位置に対してフォーカスサーボをかけることで、ディスク回転安定化板１０１の表面に対してフォーカスサーボをかけるフォーカスサーボ手段としての機能を実現している。
【００４０】
また、サーボコントローラ１０４は、システムコントローラ１０５による定期的な指令により、予め設定された期間間隔で定期的にディスク回転安定化板１０１の表面に対するフォーカスサーボ引き込みを実行する機能を備えている。
【００４１】
フォーカスサーボを引き込んだ後、システムコントローラ１０５における検出光レベル判定手段１１５が、ＲＦ回路部１０７からの和信号出力の出力値をモニタし、この値をディスク回転安定化板１０１の特性に基づいて予め設定された基準最大値及び基準最小値と比較する。そして、安定化板劣化判定手段１１６が、和信号の出力レベルが基準最大値を超えた場合と基準最小値を下回った場合に、ディスク回転安定化板１０１の表面が大気中のＨ２ＯやＣＯ２と反応して劣化したものと判定する。
【００４２】
図６に、ディスク回転安定化板１０１の特性に基づいて予め設定された基準最大値及び基準最小値と、和信号出力の最大値、最小値とモニタされた和信号出力の関係を概念的に示す。
【００４３】
図６（ａ）に示した２種類の出力信号は、各々、予めディスク回転安定化板１０１の特性に基づいて設定された基準最大値及び基準最小値を示す。また図中の点線で示した２本の基準線は、予め設定された、和信号出力を検出する際の最大値及び最小値を示す。
【００４４】
図６（ｂ），（ｃ），（ｄ）に示した出力信号は、ディスク回転安定化板１０１の表面Ｂにフォーカスサーボを引き込んだ際の和信号の例である。図６（ｂ）の場合、基準最大値を超えており、また、図６（ｄ）の場合には、基準最小値を下回っているため、ディスク回転安定化板１０１の表面に何らかの異常が発生したものと判定する。一方、図６（ｃ）に示すように、和信号レベルが基準最大値と基準最小値との間にある場合には、ディスク回転安定化板１０１の状態は正常と判定され、次の処理に移行する。
【００４５】
図４に示すように、システムコントローラ１０５は、さらに、安定化板劣化判定手段１１６によりディスク回転安定化板１０１が劣化していると判定された場合に上位システム２００へ警告信号を発信する警告発信手段１１７と、警告発信されてから警告解除されるまで光ディスクを装填する機構である光ディスクローディング機構１４０（図１には図示していない）及び光ディスクに対して情報を記録再生するデータ記録再生機構を起動しないように制御する起動制限制御手段１１８とを備えている。
【００４６】
警告発信手段１１７は、安定化板劣化判定手段１１６によりディスク回転安定化板１０１が劣化していると判定された場合に上位システム２００へ警告信号を発信し、ディスク回転安定化板１０１が交換されたか否かを判断し、交換された場合に警告を解除する機能を備えている。
【００４７】
起動制限制御手段１１８は、警告発信手段１１７によって警告信号が発信されると、光ディスクローディング機構１４０及びデータ記録再生機構を停止させて、警告が解除されると、光ディスクローディング機構及びデータ記録再生機構の停止を解除する機能を備えている。データ記録再生機構を停止するとは、装填された光ディスクに対する情報の記録再生処理を行わないようにすることである。
【００４８】
これにより、ディスク回転安定化板１０１が劣化している旨の警告情報を上位システム２００を介してユーザに対し事前に通知することができるので、ディスク回転安定化板１０１を交換させることが可能となる。また、ディスク回転安定化板１０１が交換されるまでは光ディスクローディング機構を停止して光ディスクの装填を受け付けないようにし、データ記録再生を行わないので、再生エラーなどを生じることが無く、光ディスク媒体に対するデータ記録再生を常に安定して実行することが可能となる。
【００４９】
ここで、本実施形態における検出光レベル判定手段１１５，安定化板劣化判定手段１１６，警告発信手段１１７，起動制限制御手段１１８については、その機能内容をプログラム化してコンピュータに実行させるように構成してもよい。
【００５０】
次に、本実施形態の動作について説明する。ここで、以下の動作説明は、本発明のディスク回転安定化板劣化判定方法の実施形態となるので、このディスク回転安定化板劣化判定方法の各ステップを対応する動作の記載に沿って示す。
【００５１】
図７は、ディスク回転安定化板１０１だけがスピンドル駆動系１０２上にセットされ、ディスク回転安定化板１０１の劣化有無判定が行われるプロセスについて、光ディスク装置１００の動作手順を示すフローチャートである。
【００５２】
まず、ディスク回転安定化板１０１の劣化有無判定を行う指令をシステムコントローラ１０５が出力し、指令を受けたサーボコントローラ１０４が、スピンドル駆動系１０２を制御してディスク回転安定化板１０１を回転させ（安定化板駆動ステップ）、サーボ駆動系１０３を制御して光学ヘッド１１３を所定の半径位置に移動させる。サーボコントローラ１０４のフォーカスＳ字信号検出手段１１４が、光学ヘッド１１３からレーザ光を照射させた状態で対物レンズアクチュエータ１０９を所定の速度でフォーカス方向に移動させる（図７のステップＡ２）。そして、対物レンズをフォーカス方向に移動させた間のフォーカスエラー信号中にフォーカスＳ字信号が出現したか否かを判断する（図７のステップＡ３）。
【００５３】
フォーカスＳ字信号が検出されない場合には、フォーカスエラー信号のゲインを上げて再度フォーカスＳ字信号の観測を試みる。フォーカスＳ字信号が検出できた場合には、その時点において、サーボコントローラ１０４のサーボ制御手段１１９が、フォーカスエラー信号に基づく制御信号をサーボ駆動系１０３へ出力してディスク回転安定化板１０１の表面にフォーカスサーボを引き込み（図７のステップＡ４，フォーカスサーボステップ）、ディスク回転安定化板１０１の表面にフォーカスサーボをかけた後に、システムコントローラ１０５における検出光レベル判定手段１１５が、和信号出力値の計測及び基準値との比較を行う（図７のステップＡ５，検出光レベル判定ステップ）。
【００５４】
和信号出力値が、上述した図６（ｃ）に示したように、予め設定された基準最大値と基準最小値の間にある場合には、安定化板劣化判定手段１１６がディスク回転安定化板は異常なしと判定する。予め設定された複数の半径位置の全てにおいてディスク回転安定化板１０１の劣化有無判定を行ったか否か判断し（図７のステップＡ１）、全て終えていない場合には、別の半径位置に光学ヘッド１１３を移動させて、再び、サーボコントローラ１０４のフォーカスＳ字信号検出手段１１４が、光学ヘッド１１３からレーザ光を照射させた状態で対物レンズアクチュエータ１０９を所定の速度でフォーカス方向に移動させて、フォーカスエラー信号中にフォーカスＳ字信号が出現したか否かを判断する（図７のステップＡ３）。
【００５５】
設定された全ての半径位置において、和信号出力値が基準最大値と基準最小値の間にあった場合は、安定化板劣化判定手段１１６が正常であると判定し（図７のステップＡ６）、記録再生処理などの次処理へ移行する（図７のステップＡ７）。
【００５６】
一方、ディスク回転安定化板１０１の表面にフォーカスサーボを引き込み、和信号出力値の計測及び基準値との比較を行った際、図６（ｂ）に示すように基準最大値を上回った場合と図６（ｄ）に示すように基準最小値を下回った場合においては、安定化板劣化判定手段１１６がディスク回転安定化板１０１は劣化しているものと判定する（図７のステップＡ８，安定化板劣化判定ステップ）。
【００５７】
また、フォーカスエラー信号のゲインを上げて再度フォーカスＳ字信号の観測を試みてもフォーカスＳ字信号が検出できない場合においても、安定化板劣化判定手段１１６がディスク回転安定化板１０１は劣化しているものと判定する（図７のステップＡ８）。
【００５８】
安定化板劣化判定手段１１６によりディスク回転安定化板１０１が劣化していると判定されると、警告発信手段１１７が上位システム２００へ警告信号を発信する（図７のステップＡ８，警告発信ステップ）。警告信号を発信した後は、起動制限制御手段１１８が光ディスクローディング機構の動作及びデータ記録再生機構の動作を停止する（起動制限制御ステップ）。
【００５９】
続いて、起動制限制御手段１１８がディスク回転安定化板１０１の交換の有無を判定し（図７のステップＡ９）、交換された場合、警告発信手段１１７が警告を解除し、起動制限制御手段１１８が光ディスクローディング機構の動作及びデータ記録再生機構の動作の停止を解除する。そして、再度、ディスク回転安定化板１０１の劣化有無判定を行う指令をシステムコントローラ１０５が出力すると、ディスク回転安定化板１０１の劣化有無判定プロセスを行う。
【００６０】
ここで、ディスク回転安定化板１０１の劣化有無判定を行うプロセスにおいて、フォーカスサーボをかけた後にレーザ光の照射を行うディスク回転安定化板１０１上の位置については、予めシステムコントローラ１０５が半径の設定値を保持していてもよいし、ユーザが各自任意の半径の値を上位システム２００を介してシステムコントローラ１０５に入力設定する構成であってもよい。
【００６１】
ディスク回転安定化板１０１として一般的に用いられるガラス基板には、前述したようにアルカリ金属の酸化物が含まれており、このアルカリ成分が大気中のＨ２ＯやＣＯ２と反応して、ガラス基板表面にＣａＣＯ３やＮａＨＣＯ３等の析出物を形成する。このような反応は基板のごく一部で発生することは珍しく、一般的には基板全面に一様に反応が進むことを確認している。従って、ディスク回転安定化板１０１の劣化の有無を計測するディスク回転安定化板１０１上の位置は、ディスク回転安定化板１０１の中周位置の特定半径での計測だけでも十分劣化有無の判定は可能である。しかし、情報の記録、再生信号品質の確立の観点から、好ましくは、薄型光ディスクのリードインエリアよりも内側の半径の位置から、リードアウトエリアよりも外側の半径の位置を含む範囲において１０ｍｍ間隔で設定することが望ましい。
【００６２】
また、システムコントローラ１０５がディスク回転安定化板１０１の劣化有無判定の指令を行うタイミングの設定に関しては、光ディスク装置１００の電源を投入した時点を基準として、等間隔の時刻において定期的に指令を行うように設定する。
【００６３】
上記では、ディスク回転安定化板１０１の劣化有無判定を、ディスク回転安定化板１０１のみで行うものとして説明したが、例えば、図２に示すような、ディスク回転安定化板１０１上に薄いスペーサ１３０を介して薄型光ディスク１がセットされている状態であっても、劣化有無判定を行うことが可能である。
【００６４】
この場合には、フォーカスＳ字信号を検出するプロセス（図７のステップＡ２）において、対物レンズアクチュエータ１０９を所定の速度でフォーカス方向に移動させていくと、ディスク回転安定化板１０１の表面と薄型光ディスク１の情報層で各々フォーカスＳ字信号が観測される。対物レンズをディスク回転安定化板１０１に近づけていく場合には、図５（ｃ）に示すように、最初にディスク回転安定化板１０１の表面ＡでフォーカスＳ字信号Ｓ１が検出され、次いで、ディスク回転安定化板１０１の表面ＢでフォーカスＳ字信号Ｓ２が検出され、更に薄型光ディスク１の情報層でフォーカスＳ字信号Ｓ３が検出されるため、フォーカスＳ字信号Ｓ２が検出された時点でフォーカスサーボを引き込み、ディスク回転安定化板１０１の劣化有無判定プロセスを実行する。
【００６５】
ここで、上記では、ディスク回転安定化板１０１の表面Ｂに対してフォーカスサーボを引き込み、反射光の検出量を基準最大値及び基準最小値と比較している例について説明したが、本実施形態は、これに限定されるものではなく、ディスク回転安定化板１０１の表面Ａに対してフォーカスサーボを引き込んでもよいし、ディスク回転安定化板１０１の表面Ａ及び表面Ｂの両方に対して順にフォーカスサーボを引き込み、それぞれで反射光の検出量を基準最大値及び基準最小値と比較してもよい。
【００６６】
以上に述べたように、本実施形態の光ディスク装置１００は、定期的にディスク回転安定化板１０１の表面に対してフォーカスサーボを引き込み、フォーカスサーボが引き込まれた際に検出される反射光量を基にディスク回転安定化板１０１の劣化有無判定を実施するので、事前にディスク回転安定化板１０１の劣化を検出することができ、光ディスクに対する情報の記録及び再生を常に安定して行うことができる。
【図面の簡単な説明】
【００６７】
【図１】本発明にかかる一実施形態の光学的情報記録再生装置の概略構成を示す図である。
【図２】図１に開示した実施形態の光学的情報記録再生装置におけるディスク回転機構の概略構成を示す図である。
【図３】図１に開示した実施形態の光学的情報記録再生装置におけるサーボコントローラの構成を示す機能ブロック図である。
【図４】図１に開示した実施形態の光学的情報記録再生装置におけるシステムコントローラの構成を示す機能ブロック図である。
【図５】図１に開示した実施形態において検出されるフォーカスエラー信号とレーザ光の焦点との関係を示す図である。
【図６】図１に開示した実施形態において検出される和信号出力の例を示す図である。
【図７】図１に開示した実施形態の光学的情報記録再生装置の動作を示すフローチャートである。
【符号の説明】
【００６８】
１００  光ディスク装置（光学的情報記録再生装置）
１０１  ディスク回転安定化板
１０２  スピンドル駆動系
１０３  サーボ駆動系
１０４  サーボコントローラ
１０５  システムコントローラ
１０６  ＬＤ駆動部
１０７  ＲＦ回路部
１０８  スレッドモータ
１０９  対物レンズアクチュエータ
１１０  ビームスプリッタ
１１１  レーザダイオード
１１２  光検出器
１１３  光学ヘッド
１１４  フォーカスＳ字信号検出手段
１１５  検出光レベル判定手段
１１６  安定化板劣化判定手段
１１７  警告発信手段
１１８  起動制限制御手段
１１９  サーボ制御手段
１２０  レーザ収束光
１３０  スペーサ
１３１  スピンドルモータ
１３２  マグネットチャック
２００  上位システム
【図１】
0005023997.tif 000002
【図２】
0005023997.tif 000003
【図３】
0005023997.tif 000004
【図４】
0005023997.tif 000005
【図５】
0005023997.tif 000006
【図６】
0005023997.tif 000007
【図７】
0005023997.tif 000008